【手続補正書】
【提出日】平成28年4月25日(2016.4.25)
【手続補正１】
【補正対象書類名】特許請求の範囲
【補正対象項目名】全文
【補正方法】変更
【補正の内容】
【特許請求の範囲】
【請求項１】
シートを給送するシート給送手段と、
シートに画像を形成する画像形成手段と、
前記シート給送手段から給送されたシートを、前記画像形成手段に案内する第１搬送路と、
前記画像形成手段で片面に画像が形成されたシートを再度、前記第１搬送路に案内する第２搬送路と、
原稿を前記第２搬送路に給送する原稿給送手段と、
前記原稿給送手段によって給送された原稿の画像を読み取る画像読取手段と、
シート及び原稿の搬送動作を制御する制御手段と、を備え、
前記制御手段は、複数のシートに対する両面への画像形成動作と複数の原稿に対する画像読取動作とが一連の過程で実行される際に、少なくとも原稿の一部とシートの一部とが前記第２搬送路上において同時に存在するように前記シート及び原稿の搬送動作を制御する、
ことを特徴とする画像形成装置。
【請求項２】
前記制御手段は、複数のシートに対する両面への画像形成動作と複数の原稿に対する画像読取動作とが重なる場合、原稿とシートが交互に前記第２搬送路を搬送されるように前記シート給送手段及び前記原稿給送手段を制御する、
ことを特徴とする請求項１に記載の画像形成装置。
【請求項３】
前記画像読取手段によって少なくとも第１面の画像が読み取られた原稿を排出する原稿排出手段と、
前記画像読取手段により前記第２搬送路において第１面の画像が読み取られた原稿を反転して、前記原稿排出手段へ搬送する原稿反転搬送手段と、を有し、
前記原稿反転搬送手段によって前記原稿排出手段へ向けて搬送されている原稿の第２面の画像を前記画像読取手段が読み取る、
ことを特徴とする請求項１又は２に記載の画像形成装置。
【請求項４】
前記原稿給送手段により給送された原稿を前記第２搬送路に案内する原稿給送路と、
前記第２搬送路から分岐し、画像が読み取られた原稿を反転させるために原稿を下方に案内する反転用搬送路と、
前記反転用搬送路に接続され、原稿を前記原稿排出手段に案内する原稿排出路と、を備え、
前記原稿反転搬送手段は、前記第２搬送路で第１面の画像が読み取られた原稿を前記反転用搬送路に案内した後、原稿を反転させた状態で前記原稿排出路に搬送する原稿反転搬送ローラ対を備え、
前記画像読取手段は、原稿が前記原稿排出路を移動する際に原稿の第２面の画像を読み取る、
ことを特徴とする請求項３に記載の画像形成装置。
【請求項５】
前記制御手段は、シートの後端が前記第２搬送路と前記反転用搬送路との分岐部を通過すると、前記原稿給送手段を制御して原稿を前記第２搬送路に給送させる、
ことを特徴とする請求項４に記載の画像形成装置。
【請求項６】
前記制御手段は、前記シート給送手段を制御して、原稿が前記原稿排出手段によって排出される前にシートを前記第１搬送路に給送させる、
ことを特徴とする請求項３から５のいずれか１項に記載の画像形成装置。
【請求項７】
前記制御手段は、前記画像読取手段が複数の原稿の両面の画像を読み取り、読み取った画像を複数のシートの両面に形成する場合、原稿が前記反転用搬送路に搬送された後、前記原稿の画像が第１面に形成されたシートの後端が、前記第２搬送路と前記反転用搬送路との分岐部を通過すると、次の原稿を前記第２搬送路に給送させる、
ことを特徴とする請求項４又は５に記載の画像形成装置。
【請求項８】
前記制御手段は、前記画像読取手段が複数の原稿の片面の画像を読み取り、読み取った画像を複数のシートの両面に形成する場合、２枚目の原稿が前記反転用搬送路に搬送された後、１枚目の原稿の画像が第１面に形成されたシートの後端が、前記第２搬送路と前記反転用搬送路との分岐部を通過すると、次の原稿を前記第２搬送路に給送させる、
ことを特徴とする請求項４又は５に記載の画像形成装置。
【請求項９】
前記制御手段は、前記画像読取手段が複数の原稿の両面の画像を読み取り、読み取った画像を複数のシートの両面に形成する場合、原稿が前記反転用搬送路に搬送された後、前記原稿の画像が第１面に形成されたシートの後端が、前記原稿給送路と前記第２搬送路との合流部を通過すると、次の原稿を前記第２搬送路に給送させる、
ことを特徴とする請求項４又は５に記載の画像形成装置。
【請求項１０】
前記制御手段は、前記画像読取手段が複数の原稿の片面の画像を読み取り、読み取った画像を複数のシートの両面に形成する場合、２枚目の原稿が前記反転用搬送路に搬送された後、１枚目の原稿の画像が第１面に形成されたシートの後端が、前記原稿給送路と前記第２搬送路との合流部を通過すると、次の原稿を前記第２搬送路に給送させる、
ことを特徴とする請求項４又は５に記載の画像形成装置。
【請求項１１】
複数のシートの両面への画像形成動作と、複数の原稿の画像読取動作と、が異なるジョブからなる、
ことを特徴とする請求項１から１０のいずれか１項に記載の画像形成装置。
【請求項１２】
前記制御手段は、先行シートが前記第２搬送路を通過した後、後続シートが前記第２搬送路を通過する前に複数枚の原稿が前記第２搬送路を通過するように前記原稿給送手段を制御する、
ことを特徴とする請求項１に記載の画像形成装置。
【請求項１３】
シートを給送するシート給送手段と、
シートに画像を形成する画像形成手段と、
前記シート給送手段によって給送されたシートを前記画像形成手段へと案内する第１搬送路と、
前記画像形成手段で片面に画像が形成されたシートを再度、前記第１搬送路に案内する第２搬送路と、
原稿を前記第２搬送路に給送する原稿給送手段と、
前記原稿給送手段によって給送された原稿の画像を読み取る画像読取手段と、
シート及び原稿の搬送動作を制御する制御部と、を備え、
前記制御部は、複数枚の原稿に対する読み取り動作と複数枚のシートに対する両面への画像形成動作が一連の過程で実行される際に、ｎ枚目（ｎは任意の自然数）の原稿が前記第２搬送路を通過した後、かつ、ｎ＋１枚目の原稿が前記第２搬送路を通過する前に、ｘ枚目（ｘは任意の自然数）のシートが前記第２搬送路を通過するモードを実行可能である、
ことを特徴とする画像形成装置。
【請求項１４】
シートに画像を形成する画像形成手段と、
シートが積載される第１の積載手段と、
前記第１の積載手段に積載されたシートを前記画像形成手段へ向けて給送する第１の給送手段と、
前記画像形成手段により画像が形成されたシートを排出する第１の排出手段と、
原稿の画像を読み取る画像読取手段と、
原稿が積載される第２の積載手段と、
前記第２の積載手段に積載された原稿を前記画像読取手段へ向けて給送する第２の給送手段と、
前記画像読取手段によって読み取られたシートを排出する第２の排出手段と、
シート及び原稿の搬送動作を制御する制御手段と、備え、
シートの両面に画像を形成する際に、前記第１の給送手段により給送され、前記第１の排出手段により排出されるシートが通過する搬送路の一部と、前記第２の給送手段により給送され、前記第２の排出手段から排出される原稿が通過する搬送路の一部とが、共通部において共通し、
前記制御手段は、複数枚の原稿に対する読み取り動作と複数枚のシートに対する両面への画像形成動作が一連の過程で実行される際に、ｎ枚目（ｎは任意の自然数）の原稿が前記共通部を通過した後、かつ、ｎ＋１枚目の原稿が前記共通部を通過する前に、ｘ枚目（ｘは任意の自然数）のシートが前記共通部を通過するモードを実行可能である、
ことを特徴とする画像形成装置。
【請求項１５】
シートに画像を形成する画像形成手段と、
シートが積載される第１の積載手段と、
前記第１の積載手段に積載されたシートを前記画像形成手段へ向けて給送する第１の給送手段と、
前記画像形成手段により画像が形成されたシートを排出する第１の排出手段と、
原稿の画像を読み取る画像読取手段と、
原稿が積載される第２の積載手段と、
前記第２の積載手段に積載された原稿を前記画像読取手段へ向けて給送する第２の給送手段と、
前記画像読取手段によって読み取られたシートを排出する第２の排出手段と、
シート及び原稿の搬送動作を制御する制御手段と、を備え、
シートの両面に画像を形成する際に、前記第１の給送手段により給送され、前記第１の排出手段により排出されるシートが通過する搬送路の一部と、前記第２の給送手段により給送され、前記第２の排出手段から排出される原稿が通過する搬送路の一部とが、共通部において共通し、
前記制御手段は、複数枚の原稿に対する読み取り動作と複数枚のシートに対する両面への画像形成動作が一連の過程で実行される際に、ｎ枚目（ｎは任意の自然数）のシートが前記共通部を通過した後、かつ、ｎ＋１枚目のシートが前記共通部を通過する前に、ｘ枚目（ｘは任意の自然数）の原稿が前記共通部を通過するモードを実行可能である、
ことを特徴とする画像形成装置。
【請求項１６】
シートを、第１積載部から前記画像形成手段に案内する第１搬送路と、
前記画像形成手段で片面に画像が形成されたシートを前記画像形成手段に案内する第２搬送路と、備え、
前記共通部は、前記第２搬送路の一部である、
ことを特徴とする請求項１４又は１５に記載の画像形成装置。
【請求項１７】
前記モードは、読み取った原稿の画像に基づいてシートの両面に画像形成をする際に実行される、
ことを特徴とする請求項１４乃至１６のいずれか１項に記載の画像形成装置。
【請求項１８】
前記モードは、原稿を読み取る第１のジョブと、コンピュータから送信される画像情報に基づいてシートの両面に画像を形成する第２のジョブとが、実行される際に実行される、
ことを特徴とする請求項１４乃至１７のいずれか１項に記載の画像形成装置。
【手続補正２】
【補正対象書類名】明細書
【補正対象項目名】０００７
【補正方法】変更
【補正の内容】
【０００７】
本発明は、画像形成装置において、シートを給送するシート給送手段と、シートに画像を形成する画像形成手段と、前記シート給送手段から給送されたシートを、前記画像形成手段に案内する第１搬送路と、前記画像形成手段で片面に画像が形成されたシートを再度、前記第１搬送路に案内する第２搬送路と、原稿を前記第２搬送路に給送する原稿給送手段と、前記原稿給送手段によって給送された原稿の画像を読み取る画像読取手段と、シート及び原稿の搬送動作を制御する制御部と、を備え、前記制御部は、複数のシートに対する両面への画像形成動作と複数の原稿に対する画像読取動作とが一連の過程で実行される際に、少なくとも原稿の一部とシートの一部とが前記第２搬送路上において同時に存在するように前記シート及び原稿の搬送動作を制御する、ことを特徴とする。
【手続補正３】
【補正対象書類名】明細書
【補正対象項目名】０００８
【補正方法】変更
【補正の内容】
【０００８】
また、本発明は、画像形成装置において、シートを給送するシート給送手段と、シートに画像を形成する画像形成手段と、前記シート給送手段によって給送されたシートを前記画像形成手段へと案内する第１搬送路と、前記画像形成手段で片面に画像が形成されたシートを再度、前記第１搬送路に案内する第２搬送路と、原稿を前記第２搬送路に給送する原稿給送手段と、前記原稿給送手段によって給送された原稿の画像を読み取る画像読取手段と、シート及び原稿の搬送動作を制御する制御部と、を備え、前記制御部は、複数枚の原稿に対する読み取り動作と複数枚のシートに対する両面への画像形成動作が一連の過程で実行される際に、ｎ枚目（ｎは任意の自然数）の原稿が前記第２搬送路を通過した後、かつ、ｎ＋１枚目の原稿が前記第２搬送路を通過する前に、ｘ枚目（ｘは任意の自然数）のシートが前記第２搬送路を通過するモードを実行可能である、ことを特徴とする。
更に、本発明は、画像形成装置において、シートに画像を形成する画像形成手段と、シートが積載される第１の積載手段と、前記第１の積載手段に積載されたシートを前記画像形成手段へ向けて給送する第１の給送手段と、前記画像形成手段により画像が形成されたシートを排出する第１の排出手段と、原稿の画像を読み取る画像読取手段と、原稿が積載される第２の積載手段と、前記第２の積載手段に積載された原稿を前記画像読取手段へ向けて給送する第２の給送手段と、前記画像読取手段によって読み取られたシートを排出する第２の排出手段と、シート及び原稿の搬送動作を制御する制御手段と、備え、シートの両面に画像を形成する際に、前記第１の給送手段により給送され、前記第１の排出手段により排出されるシートが通過する搬送路の一部と、前記第２の給送手段により給送され、前記第２の排出手段から排出される原稿が通過する搬送路の一部とが、共通部において共通し、前記制御部は、複数枚の原稿に対する読み取り動作と複数枚のシートに対する両面への画像形成動作が一連の過程で実行される際に、ｎ枚目（ｎは任意の自然数）の原稿が前記共通部を通過した後、かつ、ｎ＋１枚目の原稿が前記共通部を通過する前に、ｘ枚目（ｘは任意の自然数）のシートが前記共通部を通過するモードを実行可能である、ことを特徴とする。
また、本発明は、画像形成装置において、シートに画像を形成する画像形成手段と、シートが積載される第１の積載手段と、前記第１の積載手段に積載されたシートを前記画像形成手段へ向けて給送する第１の給送手段と、前記画像形成手段により画像が形成されたシートを排出する第１の排出手段と、原稿の画像を読み取る画像読取手段と、原稿が積載される第２の積載手段と、前記第２の積載手段に積載された原稿を前記画像読手段へ向けて給送する第２の給送手段と、前記画像読取手段によって読み取られたシートを排出する第２の排出手段と、シート及び原稿の搬送動作を制御する制御手段と、を備え、シートの両面に画像を形成する際に、前記第１の給送手段により給送され、前記第１の排出手段により排出されるシートが通過する搬送路の一部と、前記第２の給送手段により給送され、前記第２の排出手段から排出される原稿が通過する搬送路の一部とが、共通部において共通し、前記制御手段は、複数枚の原稿に対する読み取り動作と複数枚のシートに対する両面への画像形成動作が一連の過程で実行される際に、ｎ枚目（ｎは任意の自然数）のシートが前記共通部を通過した後、かつ、ｎ＋１枚目のシートが前記共通部を通過する前に、ｘ枚目（ｘは任意の自然数）の原稿が前記共通部を通過するモードを実行可能である、ことを特徴とする。